(57)【要約】【課題】既設の屋根構造に対する重量による負荷を軽減し、且つ既設の屋根の防水性を損なうことなく、屋根を改装して太陽電池を設置することのできる改装用屋根材を提供する。【解決手段】平板状の屋根材１２が勾配方向に沿って連設され、当該勾配方向に隣り合う屋根材１２同士が互いに一部重なり合わされて配置される屋根構造において、屋根材１２に取り付けられて屋根１１を改装する改装用屋根材１は、屋根材１２の上面１２ａに対向し、屋根材１２に対向する面２ｂと反対側の面２ａに薄膜太陽電池６が設けられている表面板部２と、表面板部２の先端部が折り曲げられて形成され、屋根材１２の勾配方向下端部の端面１２ｂに対向する前面板部３と、前面板部３の先端部が表面板部２側に折り曲げられて形成され、表面板部２との間に屋根材１２を挟持する裏面板部４と、を備える。【選択図】図２
2014037708.tif 000002
【特許請求の範囲】
【請求項１】
平板状の屋根材が勾配方向に沿って連設され、当該勾配方向に隣り合う前記屋根材同士が互いに一部重なり合わされて配置される屋根構造において、前記屋根材に取り付けられて屋根を改装する改装用屋根材であって、
前記屋根材の上面に対向し、前記屋根材に対向する面と反対側の面に薄膜太陽電池が設けられている表面板部と、
前記表面板部の先端部が折り曲げられて形成され、前記屋根材の勾配方向下端面に対向する前面板部と、
前記前面板部の先端部が前記表面板部側に折り曲げられて形成され、前記表面板部との間に前記屋根材を挟持する裏面板部と、を備えることを特徴とする改装用屋根材。
【請求項２】
前記前面板部には、厚さ方向に貫通する水抜き孔が設けられていることを特徴とする請求項１に記載の改装用屋根材。
【請求項３】
前記裏面板部の先端部が、前記表面板部から離間する方向に折り曲げられていることを特徴とする請求項１又は２に記載の改装用屋根材。
【請求項４】
鋼板で形成されていることを特徴とする請求項１から３の何れか１項に記載の改装用屋根材。
【請求項５】
前記表面板部の前記反対側の面上であって勾配方向に直交する方向における端部に、前記薄膜太陽電池に接続されるコネクタ及び配線が設けられていることを特徴とする請求項１から４の何れか１項に記載の改装用屋根材。
【発明の詳細な説明】
【技術分野】
【０００１】
本発明は、既設の屋根に取り付けられることで屋根の表面を改装する改装用屋根材に関する。
【背景技術】
【０００２】
近年、原子力発電の安全性の問題、化石燃料に替わる代替エネルギーの必要性等の観点から自然エネルギー利用が拡大し、太陽電池を家庭用電源として使用する動きが活発化している。太陽電池を家庭用電源として使用する際には、対象となる住宅の建築時に屋根の施工とともに太陽電池パネルが取り付けられるか、又は、既設の住宅の屋根を改装することで太陽電池パネルが取り付けられる。
【０００３】
既設の屋根を改装して太陽電池パネルを設置する場合においては、屋根材上に、勾配面に沿ってレール部材を格子状に設置して架台を形成し、形成された架台上に複数の太陽電池パネルを配列して当該架台に固定するといった施工が行われている（例えば、特許文献１参照）。
また、屋根材上に釘等を用いて支持金具を直接固定し、当該支持金具に対して太陽電池パネルを固定するといった施工も行われている（例えば、特許文献２参照）。
【先行技術文献】
【特許文献】
【０００４】
【特許文献１】特開平８−７０１３２号公報
【特許文献２】特開２００３−２８６７６０号公報
【発明の概要】
【発明が解決しようとする課題】
【０００５】
しかしながら、上記した従来技術によれば、既設の屋根材の強度や屋根構造によっては、太陽電池及び架台の重量負荷に耐えられない場合があり、また、釘やネジ等を使用して各種支持部材を固定することによって屋根構造の防水層に傷が付き、屋根の防水性を損なう場合がある。
【０００６】
そこで、本発明は、既設の屋根に対する重量による負荷を軽減し、且つ既設の屋根の防水性を損なうことなく、屋根を改装して太陽電池を設置することのできる改装用屋根材を提供することを目的としている。
【課題を解決するための手段】
【０００７】
上記課題を解決するために、請求項１に記載の発明は、例えば図１〜図６に示すように、平板状の屋根材１２が勾配方向に沿って連設され、当該勾配方向に隣り合う前記屋根材１２同士が互いに一部重なり合わされて配置される屋根構造において、前記屋根材１２に取り付けられて屋根１１を改装する改装用屋根材１であって、
前記屋根材１２の上面１２ａに対向し、前記屋根材１２に対向する面２ｂと反対側の面２ａに薄膜太陽電池６が設けられている表面板部２と、
前記表面板部２の先端部が前記屋根材１２側に折り曲げられて形成され、前記屋根材１２の勾配方向下端面（例えば端面１２ｂ）に対向する前面板部３と、
前記前面板部３の先端部が折り曲げられて形成され、前記表面板部２との間に前記屋根材１２を挟持する裏面板部４と、を備えることを特徴とする。
【０００８】
請求項１に記載の発明によれば、既設の屋根１１を構成する屋根材１２に対し、板状の部材からなる改装用屋根材１を取り付けるのみで、既設の屋根１１上に直接的に太陽電池を設置することができるので、架台や支持金具等を屋根１１に取り付ける必要がなく、当該屋根１１への重量負荷を軽減することができる。また、当該屋根１１に釘やネジ等で固定することなく太陽電池を設置することができるため、屋根の防水性を損なわせることもない。
また、板状の部材からなる改装用屋根材１を既設の屋根材１２に取り付けるのみで既設の屋根１１を改装することができるので、屋根改装作業が簡便であり、作業に要する時間を短縮できる。
【０００９】
請求項２に記載の発明は、請求項１に記載の改装用屋根材において、
前記前面板部３には、厚さ方向に貫通する水抜き孔７が設けられていることを特徴とする。
【００１０】
請求項２に記載の発明によれば、前面板部３に厚さ方向に貫通する水抜き孔７が設けられているので、既設の屋根材１２と改装用屋根材１との隙間に雨水等が入り込んでも水抜き孔７から排出することができる。
また、水抜き孔７が設けられていることにより、改装用屋根材１を既設の屋根材１２に取り付ける際に、水抜き孔７を介して改装用屋根材１の外側から屋根材１２の勾配方向下端部を目視することができる。これにより、改装用屋根材１が既設の屋根材１２に確実に取り付けられているか否かの確認作業が容易となる。
【００１１】
請求項３に記載の発明は、請求項１又は２に記載の改装用屋根材において、
前記裏面板部４の先端部が、前記表面板部２から離間する方向に折り曲げられていることを特徴とする。
【００１２】
請求項３に記載の発明によれば、改装用屋根材１の裏面板部４の先端部が表面板部２から離間する方向に折り曲げられているので、改装用屋根材１を既設の屋根材１２に取り付ける際に、屋根材１２の勾配方向下端部が改装用屋根材１の当該折り曲げられている箇所に当接する。屋根材１２と当該箇所が当接した状態で改装用屋根材１が押し込まれることで、裏面板部４が弾性変形して、裏面板部４が表面板部２から離間する方向に移動する。これにより、改装用屋根材１の裏面板部４が屋根材１２に引っ掛かることなく、改装用屋根材１を円滑に屋根材１２に取り付けることができる。
【００１３】
請求項４に記載の発明は、請求項１から３の何れか１項に記載の改装用屋根材において、
鋼板で形成されていることを特徴とする。
【００１４】
請求項４に記載の発明によれば、改装用屋根材１が鋼板で形成されているので、強度及び耐久性が高く、既設の屋根１１に設置後、経年による劣化が起こりにくい。
【００１５】
請求項５に記載の発明は、請求項１から４の何れか１項に記載の改装用屋根材において、
前記表面板部２の前記反対側の面２ａ上であって勾配方向に直交する方向における端部に、前記薄膜太陽電池６に接続されるコネクタ６ａ及び配線６ｂが設けられていることを特徴とする。
【００１６】
請求項５に記載の発明によれば、表面板部２の面２ａ上であって勾配方向に直交する方向の端部に、薄膜太陽電池６に接続されるコネクタ６ａ及び配線６ｂが設けられているので、複数の改装用屋根材１を既設の屋根１１に設置した際に隣り合う改装用屋根材１同士の電気的な接続が容易である。
【発明の効果】
【００１７】
本発明によれば、既設の屋根に対する重量による負荷を軽減し、且つ既設の屋根の防水性を損なうことなく、屋根を改装して太陽電池を設置することができる。
【図面の簡単な説明】
【００１８】
【図１】既設の屋根に本発明に係る改装用屋根材が取り付けられた住宅の平面図である。
【図２】改装用屋根材が一部の屋根材に取り付けられた屋根の概略斜視図である。
【図３】改装用屋根材が一部の屋根材に取り付けられた屋根の概略側面図である。
【図４】改装用屋根材の概略側面図である。
【図５】折り曲げ前の板金部材の平面図である。
【図６】複数の改装用屋根材が電気的に接続された状態を示す平面図である。
【図７】変形例の改装用屋根材が一部の屋根材に取り付けられた屋根の概略側面図である。
【図８】変形例の改装用屋根材の一部を示す概略側面図である。
【発明を実施するための形態】
【００１９】
以下、図面を参照して本発明の実施の形態について説明する。
図１は、住宅１０の屋根１１を示す平面図であり、当該屋根１１は、本発明に係る改装用屋根材１を用いて改装されている。図１中において、屋根１１には、改装用屋根材１が取り付けられている。
【００２０】
改装用屋根材１は、図２〜図５に示されるように、薄膜太陽電池６が表面に設けられた平板状の板金部材１ａが折り曲げられて形成されている。このような改装用屋根材１は、図２及び図３に示されるようにして、屋根１１を構成する既設の屋根材１２に対して取り付けられる。なお、図２〜図４においては、薄膜太陽電池６のコネクタ６ａ及び配線６ｂを省略して示している。
本発明に係る改装用屋根材１は、図１〜図３に示されるように、スレート等の平板状の屋根材１２が勾配方向に沿って連設され、当該勾配方向に隣り合う屋根材１２同士が互いに一部重なり合わされて配置される屋根構造に対して適用可能なものである。
【００２１】
図４及び図５を参照して本発明に係る改装用屋根材１について説明する。図４は、改装用屋根材１の概略側面図、図５は、折り曲げられて改装用屋根材１が形成される前の平板状の板金部材１ａの平面図をそれぞれ示している。
なお、以下の説明において、屋根１１の勾配方向であって、改装用屋根材１形成時に板金部材が折り曲げられる方向をＸ方向とし、当該Ｘ方向に直交する方向であって、改装用屋根材１の長手方向に沿う方向をＹ方向とする。
【００２２】
改装用屋根材１は、平板状の板金部材１ａが図５中に一点鎖線で示される３箇所で折り曲げられて形成され、表面板部２、前面板部３、裏面板部４、屈曲部５から構成されている。改装用屋根材１の大きさや厚みは、改装の対象となる屋根材１２のサイズや改装用屋根材１自体の材質に応じて適宜設定可能であるが、一例としては、９１０ｍｍ×２８７．５ｍｍ、厚み０．３５ｍｍの板金部材１ａが折り曲げられて構成される。また、板金部材１ａとしては鋼板が用いられ、これにより、改装後の屋根材１２の強度及び耐久性を高めることができる。
【００２３】
表面板部２は、既設の屋根材１２へ取り付けられた後には、屋根材１２の上面１２ａに対向し、上面１２ａを覆うように配置される。
この表面板部２の、屋根材１２に対向する面２ｂの反対側の面２ａには、薄膜太陽電池６が設けられている。薄膜太陽電池６はフィルム状に形成されており、表面板部２の面２ａに接着その他の方法によって取り付けられている。
【００２４】
また、表面板部２の面２ａ上であってＹ方向の両端部には、薄膜太陽電池６に接続されるコネクタ６ａ及び配線６ｂが設けられている。図６に示すように、コネクタ６ａ及び配線６ｂを介して、隣り合って設置される改装用屋根材１の薄膜太陽電池６同士が電気的に接続される。なお、図６では、Ｙ方向において隣接する改装用屋根材１の薄膜太陽電池６同士がコネクタ６ａ及び配線６ｂを介して接続されるものとしたが、Ｘ方向において隣接する改装用屋根材１の薄膜太陽電池６同士が接続されるものとしても良い。この場合においては、コネクタ６ａ及び配線６ｂの設置位置は、表面板部２の面２ａ上のＹ方向両端部でなくとも良い。
【００２５】
コネクタ６ａ及び配線６ｂが表面板部２のＹ方向両端部に設けられていることにより、改装用屋根材１を複数隣接して設置する際に、互いの薄膜太陽電池６の電気的接続を容易にすることができる。
なお、コネクタ６ａ及び配線６ｂは、Ｙ方向一端部側に設けられていても良く、この場合には、薄膜太陽電池６は表面板部２の面２ａ上においてＹ方向他端部側の縁部まで設けられていても良い。
【００２６】
前面板部３は、既設の屋根材１２へ取り付けられた後には、屋根材１２の勾配方向下端部の端面１２ｂに対向し、端面１２ｂを覆うように配置される。
前面板部３は、表面板部２の先端部を屋根材１２の端面１２ｂに向かって９０°折り曲げられることによって形成されており、これによって改装用屋根材１の取り付け後に前面板部３が屋根材１２の端面１２ｂに対向する。また、前面板部３には厚さ方向に貫通する水抜き孔７が設けられており、当該水抜き孔７は、Ｙ方向に沿って所定間隔を開けて複数形成されている。前面板部３に水抜き孔７が設けられていることにより、改装用屋根材１と既設の屋根材１２との隙間に雨水等が入り込んでしまっても当該雨水を排出することができる。また、改装用屋根材１を既設の屋根材１２に取り付ける際に、水抜き孔７を介して屋根材１２の端面１２ｂを目視することができるので、改装用屋根材１の取り付け完了を容易に確認できる。
【００２７】
なお、前面板部３に水抜き孔７が設けられているものとしたが、裏面板部４に水抜き孔７が設けられていても良い。この場合には、水抜き孔７は、裏面板部４のうち前面板部３の近傍に設けられている。裏面板部４に水抜き孔７が設けられていることで、改装用屋根材１と既設の屋根材１２との隙間に雨水等が入り込んでしまっても当該雨水をより効率的に排出することができる。また、裏面板部４に水抜き孔７が設けられていることで、改装用屋根材１の設置後において、当該水抜き孔７が屋根材１２の下面１２ｃ側に隠れるため、意匠性を高めることができる。
【００２８】
裏面板部４は、既設の屋根材１２へ取り付けられた後には、屋根材１２の下面１２ｃに対向し、下面１２ｃの一部を覆うように配置される。
裏面板部４は、前面板部３の先端部を屋根材１２の下面１２ｃに向かって折り曲げられることによって形成されており、その折り曲げ角度Ａ（図４参照）は９０〜１３５°の範囲である。これにより改装用屋根材１の取り付け後に裏面板部４が屋根材１２の下面１２ｃに対向するとともに、表面板部２との間に屋根材１２を挟持することができる。また、裏面板部４が形成される際の、前面板部３の先端部が折り曲げられる折り曲げ角度を９０°よりも大きくすることで、表面板部２と裏面板部４とが屋根材１２を挟持する力が大きくなるため好ましい。
これら表面板部２、前面板部３及び裏面板部４により、凹部８が形成されている。
【００２９】
屈曲部５は、既設の屋根材１２へ取り付けられた後には、屋根材１２の下面１２ｃに対向し、下面１２ｃから離間して配置される。
屈曲部５は、裏面板部４の先端部が表面板部２から離れる方向に折り曲げられて形成されており、これにより、改装用屋根材１の取り付け後に屈曲部５が屋根材１２の下面１２ｃから離間した状態となる。このような屈曲部５が形成されていることにより、改装用屋根材１を屋根材１２に取り付ける際に、屋根材１２の勾配方向下端部が屈曲部５に当接し、屋根材１２と屈曲部５が当接した状態で改装用屋根材１を勾配方向上方へ押し込むことで、裏面板部４が弾性変形して、裏面板部４及び屈曲部５が表面板部２から離間する方向に移動する。これにより、改装用屋根材１を屋根材１２に取り付ける際に、改装用屋根材１の裏面板部４が屋根材１２の勾配方向下端部に引っ掛かることなく、裏面板部４が表面板部２から離間する方向に弾性変形し、屋根材１２の勾配方向下端部が改装用屋根材１の凹部８に円滑に挿入される。
【００３０】
このように構成される改装用屋根材１は、図２及び図３に示されるように既設の屋根材１２に対して取り付けられる。
既設の屋根材１２は、勾配方向において互いに一部重なり合わされて配置されており、各屋根材１２は勾配方向上端部が野地板１３に固定されて設けられている。したがって、各屋根材１２の勾配方向下端部は、勾配方向上端部を支点として上下方向に移動可能となっている。
改装用屋根材１を、対象の屋根材１２に取り付ける際には、対象の屋根材１２の勾配方向上方側に隣接する屋根材１２の勾配方向下端部を持ち上げた状態で、対象の屋根材１２に対して取り付け作業を行う。即ち、上方側に隣接する屋根材１２を持ち上げた状態で、改装用屋根材１を対象の屋根材１２の勾配方向下端部側に配置し、勾配方向に沿って下方から上方へ押し上げる。これによって、屋根材１２の勾配方向下端部が改装用屋根材１の屈曲部５に当接する。当該屋根材１２の勾配方向下端部が屈曲部５に当接した状態で、改装用屋根材１が押し上げられるので、裏面板部４が弾性変形して、裏面板部４及び屈曲部５が表面板部２から離間する方向に移動する。更に改装用屋根材１が上方へ押し上げられることで、屋根材１２の勾配方向下端部が改装用屋根材１の凹部８内に完全に収容される。対象の屋根材１２が凹部８内に完全に収容されると、水抜き孔７を介して屋根材１２の勾配方向下端部が目視により確認されるので、その時点で改装用屋根材１の押し上げを停止する。このようにして、改装用屋根材１は対象の屋根材１２に嵌め込まれて取り付けられ、弾性変形した裏面板部４が復元しようとする力によって、表面板部２と裏面板部４との間に屋根材１２が挟持され、改装用屋根材１が屋根材１２に対して固定される。
更に、改装用屋根材１の取り付け開始時に持ち上げておいた、上方側に隣接する屋根材１２を元の位置に戻すことで、改装用屋根材１の表面板部２の一部及び対象の屋根材１２の上面１２ａの一部に、上方に隣接する屋根材１２が重なる。これにより、上方に隣接する屋根材１２の重量によって改装用屋根材１の表面板部２が押さえられ、改装用屋根材１を対象の屋根材１２に対してより強く固定することができる。
【００３１】
既設の屋根１１に対し複数の改装用屋根材１を取り付ける場合においては、改装後の屋根材１２が重くなり持ち上げが困難となるため、勾配方向下方から上方へかけて改装用屋根材１を取り付けていくことが好ましい。これにより、屋根１１の改装作業がより容易なものとなる。
【００３２】
以上、本実施形態によれば、改装用屋根材１が、一方の面２ａに薄膜太陽電池６が設けられた表面板部２、表面板部２の先端部が折り曲げられて形成される前面板部３、前面板部３の先端部が折り曲げられて形成される裏面板部４等の板状部材で構成され、既設の屋根材１２に取り付けるのみで太陽電池を設置することができる。このように構成されていることにより、架台や支持金具等を屋根１１に取り付けることなく、既設の屋根１１上に直接的に太陽電池を設置することができ、当該屋根１１への重量負荷を軽減することができる。また、屋根１１に釘やネジ等で固定することなく太陽電池を設置することができるため、屋根の防水性を損なわせるおそれがない。
また、板状に構成される改装用屋根材１を既設の屋根材１２に取り付けるのみで既設の屋根材１２を改装することができるので、屋根改装作業が簡便であり、作業に要する時間を短くできる。
【００３３】
また、改装用屋根材１の前面板部３には厚さ方向に貫通する水抜き孔７が設けられているので、既設の屋根材１２と改装用屋根材１との隙間に雨水等が入り込んでも水抜き孔７から排出することができる。
また、水抜き孔７が設けられていることにより、改装用屋根材１を既設の屋根材１２に取り付ける際に、水抜き孔７を介して改装用屋根材１の外側から屋根材１２の勾配方向下端部を目視することができる。これにより、改装用屋根材１が既設の屋根材１２に確実に取り付けられているか否かの確認作業が容易になる。
【００３４】
また、改装用屋根材１の裏面板部４の先端部が表面板部２から離間する方向に折り曲げられて屈曲部５が形成されているので、改装用屋根材１を既設の屋根材１２に取り付ける際に、屋根材１２の勾配方向下端部が屈曲部５に当接する。屋根材１２の当該下端部が屈曲部５に当接した状態で改装用屋根材１が押し込まれることで、裏面板部４が弾性変形し裏面板部４及び屈曲部５が表面板部２から離間する方向に移動する。これにより、改装用屋根材１の裏面板部４が屋根材１２に引っ掛かることなく、改装用屋根材１を円滑に屋根材１２に取り付けることができる。
【００３５】
また、改装用屋根材１が鋼板で形成されているので、改装用屋根材１の強度及び耐久性が高く、既設の屋根材１２に取り付けられた後、経年による劣化が起こりにくい。
【００３６】
また、表面板部２の面２ａ上であって勾配方向に直交する方向の端部に、薄膜太陽電池６に接続されるコネクタ６ａ及び配線６ｂが設けられているので、複数の改装用屋根材１が既設の屋根材１２に取り付けられている場合に、隣り合う改装用屋根材１同士の電気的な接続が容易である。
また、コネクタ６ａ及び配線６ｂが面２ａ上の端部に設けられているので、面２ａ上のスペースを効率的に使用することができる。
【００３７】
《変形例》
以下に、改装用屋根材１の変形例について図７及び図８を参照して説明する。図７は、変形例の改装用屋根材２１が一部の屋根材１２に取り付けられた状態の屋根１１の概略側面図である。図８は、改装用屋根材２１の一部を示した概略側面図であり、図８（ａ）は改装用屋根材２１が屋根材１２に取り付けられた後であって、当該屋根材１２に対して完全に固定される前の状態を示しており、図８（ｂ）は改装用屋根材２１が屋根材１２に対して完全に固定された後の状態を示している。なお、以下に説明する以外の構成は、上記実施形態の改装用屋根材１と略同様であり、その詳細な説明は省略する。
【００３８】
図７及び図８に示すように、変形例の改装用屋根材２１は、表面板部２２、前面板部２３、裏面板部２４から構成されており、その裏面板部２４が平面板状に構成されている。即ち、変形例における改装用屋根材２１は、裏面板部２４の先端部が折り曲げられておらず、屈曲部が設けられていない。
【００３９】
改装用屋根材２１の取り付け及び固定作業は、以下に説明するようにして行う。
即ち、取り付け対象の屋根材１２の勾配方向上方側に隣接する屋根材１２の勾配方向下端部を持ち上げた状態で、改装用屋根材２１を対象の屋根材１２の勾配方向下端部側に配置する。そして、勾配方向に沿って金槌等で改装用屋根材２１の前面板部２３を叩くなどして対象の屋根材１２を改装用屋根材２１の凹部に収容していくと、図８（ａ）に示すように、屋根材１２の端面１２ｂが、表面板部２２及び前面板部２３の折り曲げ部２５と、前面板部２３及び裏面板部２４の折り曲げ部２６とに当接した状態となる。この状態で、引き続き改装用屋根材２１の前面板部２３を叩いて屋根材１２を奥まで押し込むと、折り曲げ部２５，２６が潰れ、図８（ｂ）に示すように、改装用屋根材２１が屋根材１２に密着するような形に変形する。変形後の改装用屋根材２１の弾性によって、改装用屋根材２１が屋根材１２に完全に固定される。
なお、改装用屋根材２１が変形されることによって、裏面板部２４の先端部が、屋根材１２から離間する形状となるが（図８（ｂ）参照）、当該屋根材１２の上に、勾配方向上方側に隣接する屋根材１２が重なることで、裏面板部２４が押さえられて裏面板部２４が屋根材１２に密着する。
【００４０】
以上の変形例によれば、改装用屋根材２１と屋根材１２との隙間を小さくすることができ、当該隙間への雨水等の流入を抑制できる。また、改装用屋根材２１と屋根材１２との隙間が小さいため、改装用屋根材２１取り付け後の屋根材１２の厚みが小さく抑えられ、取り付け後の屋根１１の意匠性が高い。
【００４１】
なお、上記した実施形態では、平板状の屋根材としてスレートが用いられるものとしたが、金属や木材が用いられていても良い。
【００４２】
また、上記した実施形態では、改装用屋根材の前面板部に水抜き孔が設けられているものとしたが、水抜き孔は設けられていなくても良い。また、水抜き孔の形状は矩形状であって改装用屋根材の折り曲げ方向に直交する方向に複数設けられているものとしたが、水抜き孔の形状及び数は何れであっても良い。
【００４３】
また、上記した実施形態では、改装用屋根材が鋼板で形成されているものとしたが、屋根材に取り付けられ屋根材を改装することができれば、鉄板等その他の板金部材で形成されていても良いし、金属でない他の材料で形成されていても良い。
【００４４】
また、上記した実施形態では、改装用屋根材の表面板部の面上であって、勾配方向に直交する方向の端部に、薄膜太陽電池に接続されるコネクタ及び配線が設けられているものとしたが、当該コネクタ及び配線は、勾配方向における端部に設けられているものとしても良いし、表面板の裏面側や前面板部に設けられているものとしても良い。
【符号の説明】
【００４５】
１      改装用屋根材
１ａ    板金部材
２      表面板部
２ａ    面
２ｂ    面
３      前面板部
４      裏面板部
５      屈曲部
６      薄膜太陽電池
６ａ    コネクタ
６ｂ    配線
７      水抜き孔
８      凹部
１０    住宅
１１    屋根
１２    屋根材
１２ａ  上面
１２ｂ  端面
１２ｃ  下面
１３    野地板
２１    改装用屋根材
２２    表面板部
２３    前面板部
２４    裏面板部
２５    折り曲げ部
２６    折り曲げ部
【図１】
2014037708.tif 000003
【図２】
2014037708.tif 000004
【図３】
2014037708.tif 000005
【図４】
2014037708.tif 000006
【図５】
2014037708.tif 000007
【図６】
2014037708.tif 000008
【図７】
2014037708.tif 000009
【図８】
2014037708.tif 000010